(57)【特許請求の範囲】
【請求項１】
対面する袋体フィルムの内側面に再開閉可能なチャックを備え、このチャックと交差したサイドシール部により隣接する複数のチャック付袋体を区画した連続袋において、前記チャックとサイドシール部の交差部分を押し潰しのポイントシール部により強化接着し、かつこの強化接着された所要部位を引きちぎりを不要とする切り離し状態とすると共に、前記隣接する袋体を区画するサイドシール部の複数箇所に非シール部を設け、さらにテープ状片又は肉厚条を袋体フィルムのチャック部と離間した部位にチャックと平行して設け、非シール部と前記テープ状片又は肉厚条によって隣接する袋体が連続するようにしたことを特徴とする合成樹脂製チャック付の連続袋。
【請求項２】
非シール部を設けたサイドシール部に切取線条痕若しくはミシン目を形成し、あるいはミシン目シールによって非シール部を設けたサイドシール部を形成し、各チャック付袋体が切り取り可能となっていることを特徴とする請求項１に記載の合成樹脂製チャック付の連続袋。
【請求項３】
隣接する袋体を区画するサイドシール部の複数箇所の非シール部により隣接する袋体相互が連通するようにしたことを特徴とする請求項１あるいは２に記載の合成樹脂製チャック付の連続袋。
【発明の詳細な説明】
【０００１】
【発明の属する技術分野】
本発明は、開口部に再開閉可能なチャックを備えたチャツク付袋体を複数連続した合成樹脂製チャック付の連続袋に関するものである。
【０００２】
【従来の技術】
製袋、充填作業の合理化、取り扱いの能率向上、検体等の整理分析や部品類の区分けといった具体的用途等に、チャック付連続袋及びその製造方法が、特公昭４６−１５３４６号公報、特公昭４９−４７５４７号公報等で提供され、広範囲の分野で使用されている。
【０００３】
【発明が解決しようとする課題】
この連続袋は製袋、充填作業工程等においては連続形態を保持するに足る連結強度が要求される反面、需要者においては連結箇所の引きちぎりが出来るだけ容易であることが要求される。
【０００４】
ところで、繰り返しの使用に耐え、チャックの長手方向の左右両端近傍からの破袋を防止する目的で、単体のチャック付袋体においてはチャックの長手方向の左右両端近傍を押し潰したポイントシールにより強化することが行われている。これを連続袋に適用した場合には、前述の連結強度を保持する要求は満たされるが、需要者における連結箇所の引きちぎりがかなり困難となるような事態が発生していた。
【０００５】
また、チャック付連続袋に内容物を収納し、段ボール等に箱詰めするときには、連続状であるため単体のチャック付袋体と比べると融通性がなく、収納状態に偏りが生じて予定数量を詰め込めないという事態も発生していた。
【０００６】
本発明の目的は、必要な連結強度を確保し、かつ連結箇所の引きちぎりを容易にした合成樹脂製チャック付の連続袋を提供することである。
【０００７】
【課題を解決するための手段】
上記目的を達成するための本発明の構成は、請求項１に記載の通り、対面する袋体フィルムの内側面に再開閉可能なチャックを備え、このチャックと交差したサイドシール部により隣接する複数のチャック付袋体を区画した連続袋において、前記チャックとサイドシール部の交差部分を押し潰しのポイントシール部により強化接着し、かつこの強化接着された所要部位を引きちぎりを不要とする切り離し状態とすると共に、前記隣接する袋体を区画するサイドシール部の複数箇所に非シール部を設け、さらにテープ状片又は肉厚条を袋体フィルムのチャック部と離間した部位にチャックと平行して設け、非シール部と前記テープ状片又は肉厚条によって隣接する袋体が連続するようにしたことを特徴とするものである。
【０００８】
また、請求項２に記載の通り、請求項１に記載の合成樹脂製チャック付の連続袋において、非シール部を設けたサイドシール部に切取線条痕若しくはミシン目を形成し、あるいはミシン目シールによって非シール部を設けたサイドシール部を形成し、各チャック付袋体が切り取り可能となっていることを特徴とするものである
【０００９】
さらに、請求項３に記載の通り、請求項１あるいは２に記載の合成樹脂製チャック付の連続袋において、隣接する袋体を区画するサイドシール部の複数箇所の非シール部により隣接する袋体相互が連通するようにしたことを特徴とするものである。
【００１０】
【発明の実施の形態】
以下本発明の実施の形態を図面に基づいて説明する。図１において、１は連続袋であり、図例では５枚の連続袋であるが、連続枚数は任意である。２は雌雄咬合具の再開閉可能なチャックであり、対面する袋体フィルムの内側面に設けられている。
【００１１】
前記連続袋１は、両端サイドシール部３と隣接する各袋体を区画する区画サイドシール部４によって形成され、これら両端サイドシール部３及び区画サイドシール部４と前記チャック２の交差部には押し潰しのポイントシール部５が形成されている。
【００１２】
本発明の第１実施形態は、前記のような連続袋１において、強化接着されたポイントシール部５の所要部位を引きちぎりを不要とする切り離し状態とすると共に、  区画サイドシール部４の複数箇所に非シール部６を設け、さらには図３で示すように、テープ状片又は肉厚条８を袋体フィルムのチャック２と離間した部位にチャック２と平行して設け、非シール部６と前記テープ状片又は肉厚条８によって隣接する袋体が連続するようにしたものである。前記テープ状片又は肉厚条８は図例では袋体フィルムの内側面に設けられているが、袋体フィルムの外側面でも良い。
【００１３】
前記テープ状片又は肉厚条８を袋体の開口部端縁の内側面又は外側面に設けた場合は、これにエンボス加工等を施し、チャック２の開口のための手掛かりとして利用することができる。また、外側面に設けた場合は、袋体の堆積時の滑り止めにもなる他に筆記可能にして書き込みができ、袋体と色を変えることによりデスプレー効果や識別機能を持たせることができる。
【００１４】
さらに、本発明の第２実施形態は、前記第１実施形態の連続袋１において、非シール部６を設けた区画サイドシール部４（強化接着所要部位を除く）に図１で示すように切取線条痕７若しくはミシン目を形成し、あるいは図２で示すように、ミシン目シールによって非シール部６を設けた区画サイドシール部４ａを形成し、各チャック付袋体を切り取り可能としたものである。
【００１５】
さらに加えて、本発明の第３実施形態は、前記第１及び第２実施形態の連続袋１において、区画サイドシール部４，４ａの複数箇所の非シール部６により隣接する袋体相互が連通するようにしたものである。
【００１６】
本発明は上記の通りの構造であるから、第１実施形態の連続袋１においては、チャック２と区画サイドシール部４の交差部分は押し潰しのポイントシール部５により強化接着され、これによって個々のチャック付袋に要求される「繰り返しの使用に耐え、チャックの長手方向の左右両端近傍からの破袋の防止」という目的が達成される。また、連続袋１の連結強度は非シール部６とテープ状片又は肉厚条８によって確保される一方、強化接着された所要部位がことにより、該部が引きちぎりの支障となることがなく、連結箇所の引きちぎりが容易となるものである。
【００１７】
尚、テープ状片又は肉厚条８を袋体フィルムのチャック２と離間した部位に設定させたことは、チャック２とテープ状片又は肉厚条８が接近していると、当該部域が強化されることになって、引きちぎり難くなるためである。
【００１８】
さらに第２実施形態の連続袋１においては、引きちぎりを不要とする切り離し状態となっているポイントシール部５を除く非シール部６を設けた区画サイドシール部４に、切取線条痕７若しくはミシン目を形成し、あるいは区画サイドシール部４ａをミシン目シールによって形成したことにより、要求する連結強度を確保し、かつ連結箇所の引きちぎりを容易にすることができる。
【００１９】
また、第３実施形態の連続袋１においては、区画サイドシール部４，４ａの複数箇所の非シール部６により隣接する袋体相互が連通するようにしたことにより、各袋体の収納部に残存する気体の多少が速やかに調整される。その結果、収納状態の偏りを可及的に少なくなるようにして、段ボール等への箱詰めを円滑にすることができる。
【００２０】
前記区画サイドシール部４，４ａの複数箇所を非シール部６による連通状態としたことは、例えば１個所の場合は気体の流通がそこに集中し、速やかな調整を行うことができないためであり、少なくとも区画サイドシール部４の上下２個所以上を連通状態にすることが望ましい。
【００２１】
【発明の効果】
以上のように本発明によると、製袋、充填作業工程等においては連続形態を保持するに足る連結強度が求められ、需要者においては連結箇所の引きちぎりが出来るだけ容易であることが求められる相反した機能が要求される合成樹脂製チャック付の連続袋において、必要な連結強度を確保し、かつ連結箇所の引きちぎりを容易にし、従来の相反する機能の要求を満足した合成樹脂製チャック付の連続袋の提供を実現することができる。また、各袋体相互間に気体の流通を可能とし、各袋体の収納部に残存する気体の多少を速やかに調整して収納状態の偏りを可及的に少なくすることにより、段ボール等への箱詰めを円滑にすることができる利点を有している。
【図面の簡単な説明】
【図１】本発明の連続袋の正面図
【図２】他の実施形態を示す連続袋の正面図
【図３】図１のＡ−Ａ線断面図
【符号の説明】
１   連続袋
２   チャック
３   両端サイドシール部
４   区画サイドシール部
４ａ 区画サイドシール部（ミシン目シール）
５   ポイントシール部
６   非シール部
７   切取線条痕
８   テープ状片又は肉厚条
【図１】
0003710279.tif 000002
【図２】
0003710279.tif 000003
【図３】
0003710279.tif 000004